(57)【特許請求の範囲】
【請求項１】
複数の監視画像の映像信号を記録媒体に記録しそれを再生する監視画像記録／再生方法において、
前記映像信号中のフレームコードをカメラ番号に変換して前記映像信号中の監視画像と共に前記記録媒体に記録し、且つ前記フレームコードの画像を前記カメラ番号と関連つけて記憶手段に格納し、
前記記録媒体から読み出した前記カメラ番号により前記記憶手段のフレームコードの画像を読み出し前記記録媒体から読み出した監視画像と共に１枚のフレームとして再生することを特徴とする監視画像記録／再生方法。
【請求項２】
複数の監視画像の映像信号を記録媒体に記録しそれを再生する監視画像記録／再生装置において、
前記映像信号中のフレームコードをカメラ番号にデコードして前記記録媒体に送るデコード手段と、前記カメラ番号に応じたアドレスに前記フレームコードを画像データのまま格納する記憶手段を設け、
前記記録媒体から読み出したカメラ番号に応じて前記記憶手段からフレームコードを読み出し、前記記録媒体から読み出した監視画像と共に１枚のフレームとして再生することを特徴とする監視画像記録／再生装置。
【請求項３】
請求項２において、
前記記録媒体から読み出した前記カメラ番号を前記記憶手段のアドレスに変換するアドレス変換手段を有することを特徴とする監視画像記録／再生装置。
【請求項４】
請求項２において、
前記映像信号中の監視画像のデータを画像圧縮する圧縮手段を有し、該圧縮手段で得られた画像データと前記デコード手段から出力するカメラ番号を組として前記記録媒体に記録するようにしたことを特徴とする監視画像記録／再生装置。
【請求項５】
請求項４において、
前記記録媒体から読み出された画像データを画像伸張する伸張手段を有し、該伸張手段で得られた監視画像データと前記記憶手段から読み出したフレームコードの画像データとを１枚のフレームとして再生するようにしたことを特徴とする監視画像記録／再生装置。
【発明の詳細な説明】
【０００１】
【発明の属する技術分野】
本発明は、複数箇所の監視画像をフレーム切替で１つの記録媒体に記録し再生する監視画像記録／再生方法および装置に関するものである。
【０００２】
【従来の技術】
図３は４台の監視カメラを使用する従来の監視システムの概略構成を示す図である。２１〜２４は４箇所の監視場所に設置した４台の監視カメラであり、そこで撮像した４個の監視画像はフレームスイッチャ３０に送られる。このフレームスイッチャ３０は、各カメラ２１〜２４の監視画像をフレーム単位で順次繰り返して切り替えて１本の映像信号として取り込む動作を行うもので、このとき各フレームの垂直ブランキング期間にそのフレームスイッチャ３０固有のフレームコード（カメラ識別コード）が付加される。このようにして例えば、カメラ２１の第１フレーム→カメラ２２の第１フレーム→カメラ２３の第１フレーム→カメラ２４の第１フレーム→カメラ２１の第２フレーム→・・・の順番で各カメラで得た監視画像がフレームコードを付加されながら順次繰り返し時系列的に取り込まれる。よって、この場合は、１台のカメラについては連続する４フレーム毎に１フレームが取り込まれることになる。フレームスイッチャ３０で取り込まれた４台のカメラの監視画像は、次に監視画像記録／再生装置４０に送られ、そこでフレームの画像とフレームコードが記録される。また、記録と同時に再生も行われ、その再生画像が再度フレームスイッチャ３０に取り込まれ、フレームコードの識別によって例えば４分割画面が作成され、モニタ装置５０で表示される。以上のようにして、４台の監視カメラ２１〜２４で撮像した監視画像は、後に証拠として必要となるかもしれないために記録されると同時に、リアルタイムでモニタ装置５０で表示される。
【０００３】
【発明が解決しようとする課題】
ところが、従来の監視画像記録／再生装置４０では、フレームコードを記録するときにこれを識別してカメラ番号にデコードし、再生するときにフレームコードにエンコードしていた。すなわち、デコーダ／エンコーダが必要となり、しかもフレームコードのコード体系の異なる複数種のフレームスイッチャに対応させるためには、当該複数種類のコード体系用のデコーダ／エンコーダが必要となっていた。
【０００４】
本発明の目的は、エンコーダが不要になった監視画像記録／再生方法および装置を提供することである。
【０００５】
【課題を解決するための手段】
上記課題を解決するための請求項１の発明は、複数の監視画像の映像信号を記録媒体に記録しそれを再生する監視画像記録／再生方法において、前記映像信号中のフレームコードをカメラ番号に変換して前記映像信号中の監視画像と共に前記記録媒体に記録し、且つ前記フレームコードの画像を前記カメラ番号と関連つけて記憶手段に格納し、前記記録媒体から読み出した前記カメラ番号により前記記憶手段のフレームコードの画像を読み出し前記記録媒体から読み出した監視画像と共に１枚のフレームとして再生することを特徴とする監視画像記録／再生方法とした。
【０００６】
請求項２の発明は、複数の監視画像の映像信号を記録媒体に記録しそれを再生する監視画像記録／再生装置において、前記映像信号中のフレームコードをカメラ番号にデコードして前記記録媒体に送るデコード手段と、前記カメラ番号に応じたアドレスに前記フレームコードを画像データのまま格納する記憶手段を設け、前記記録媒体から読み出したカメラ番号に応じて前記記憶手段からフレームコードを読み出し、前記記録媒体から読み出した監視画像と共に１枚のフレームとして再生することを特徴とする監視画像記録／再生装置とした。
【０００７】
請求項３の発明は、請求項２の発明において、前記記録媒体から読み出した前記カメラ番号を前記記憶手段のアドレスに変換するアドレス変換手段を有することを特徴とする監視画像記録／再生装置とした。
【０００８】
請求項４の発明は、請求項２の発明において、前記映像信号中の監視画像のデータを画像圧縮する圧縮手段を有し、該圧縮手段で得られた画像データと前記デコード手段から出力するカメラ番号を組として前記記録媒体に記録するようにしたことを特徴とする監視画像記録／再生装置とした。
【０００９】
請求項５の発明は、請求項４の発明において、前記記録媒体から読み出された画像データを画像伸張する伸張手段を有し、該伸張手段で得られた監視画像データと前記記憶手段から読み出したフレームコードの画像データとを１枚のフレームとして再生するようにしたことを特徴とする監視画像記録／再生装置とした。
【００１０】
【発明の実施の形態】
図１は本発明の実施の形態の監視画像記録／再生装置１０のブロック図である。１１はＡ／Ｄ変換器（ビデオデコーダ）であり、フレームスイッチャ３０から入力する監視画像のアナログ映像信号をデジタル信号に変換する。１２はデジタル映像信号の画像領域の画像データ（垂直ブランキング期間を除く領域のデータ）を圧縮する画像圧縮部である。１３はフレームコードデコーダであり、デジタル映像信号中の垂直ブランキング期間中のフレームコード（例えば１０Ｈ〜２０Ｈに重畳される）を識別してカメラ番号にデコードする。１４はバッテリバックアップ等により不揮発性となったメモリ（記憶手段）であり、前記フレームコードがそのまま画像データとしてカメラ番号に対応するアドレスに格納される。１５はハードディスク等の記録媒体であり、画像圧縮部１２で圧縮された画像データとフレームコードデコーダ１３でデコーダされたカメラ番号データが記録される。１６は記録媒体１５から読み出した画像データを伸張する画像伸張部、１７は記録媒体１５から読み出したカメラ番号データをメモリ１４のアドレスデータに変換するアドレス変換部である。１８はＤ／Ａ変換器（ビデオエンコーダ）であり、画像伸張部１６から出力する画像データを画像領域部に、メモリ１４から読み出したフレームコードを垂直ブランキング期間の例えば１０Ｈ〜２０Ｈに、それぞれ含まれるフレームのアナログ映像信号を生成する。なお、フレームスイッチャ３０には図３と同様にカメラ２１〜２４、およびモニタ装置４０が接続される。
【００１１】
さて、フレームスイッチャ３０から監視画像の映像信号が入力すると、Ａ／Ｄ変換器１１でデジタル信号に変換され、１フレーム当りの映像信号は、垂直ブランキング期間内のフレームコードについてはフレームコードデコーダ１３でデコードされカメラ番号データとして記録媒体１５に記録され、画像領域の画像データについては画像圧縮部１２で圧縮されてカメラ番号データと組で同じ記録媒体１５に記録される。
【００１２】
このとき、フレームコードはメモリ１４に画像データのままで格納されるが、このときのメモリアドレスはフレームコードデコーダ１３でデコーダされたカメラ番号に応じたアドレスである。図２はこのメモリ１４の内容を表した図であり、前述した４台のカメラ２１〜２４のカメラ番号１〜４に対応して、アドレスが１００、２００、３００、４００のように予め与えられている。したがって、現在Ａ／Ｄ変換された映像データがカメラ番号１のカメラ２１のものであるときは、そのフレームコードの画像データがカメラ番号１のアドレス１００に記憶される。以後、カメラ２２、２３、２４のフレームコードの画像データが順番に同様にカメラ番号２、３、４のアドレス２００、３００、４００に記憶される。そして、４台全部のカメラ２１〜２４のフレームコードの画像データがメモリ１４に記憶された後は、その後の書込は行わず、その記憶内容を保持する。つまり、このメモリ１４への書込動作は監視システムの設置時に１度だけ行われる。この後に入力するフレームコードはカメラ番号データにデコードされるだけである。
【００１３】
記録媒体１５から画像データを読み出すときは、１フレーム当りについて、画像領域の画像データとカメラ番号データに分けて読み出される。画像領域の画像データは画像伸張部１６で伸張される。カメラ番号データはアドレス変換部１７でメモリ１４のアドレス信号に変換され、これによってフレームコードの画像データがメモリ１４から読み出される。そして、画像領域の画像データはフレームの画像領域に割り付けられ、フレームコードは垂直ブランキング期間の例えば１０Ｈ〜２０Ｈにそれぞれ割り付けられて、Ｄ／Ａ変換器１８でアナログの映像信号に変換され、フレームスイッチャ３０に戻される。
【００１４】
以上のように、本実施形態の監視画像記録／再生装置では、フレームスイッチャ３０で付加されたフレームコードが分離してそのままメモリ１４に画像データとして格納され、記録媒体１５から読み出され伸張された画像データに付加されるので、フレームコードデコーダ１３によりカメラ番号にデコーダされたデータを再度フレームコードにエンコードする必要はない。つまり、入力したフレームコードは何ら加工されることなく、監視画像記録／再生装置から再生される。
【００１５】
【発明の効果】
以上から本発明によれば、エンコーダが不要になった監視画像記録／再生装置を実現できる。また、フレームコードのメモリへの格納は監視システムの設置時或いはカメラ台数を変更したりフレームスイッチャを別の種類のものに変更したときのみ行えばよい。したがって、どのようなフレームスイッチャにも対応することが可能である。
【図面の簡単な説明】
【図１】  本発明の１つの実施の形態の監視画像記録／再生装置のブロック図である。
【図２】  メモリの説明図である。
【図３】  従来の監視システムの概略構成を示すブロック図である。
【符号の説明】
１０：監視画像記録／再生装置、１１：Ａ／Ｄ変換器（ビデオデコーダ）、１２：画像圧縮部、１３：フレームコードデコーダ、１４：メモリ、１５：記録媒体、１６：画像伸張部、１７：アドレス変換部、１８：Ｄ／Ａ変換器
２１〜２４：監視カメラ
３０：フレームスイッチャ
４０：監視画像記録／再生装置
５０：モニタ装置
【図１】
0004423819.tif 000002
【図２】
0004423819.tif 000003
【図３】
0004423819.tif 000004